(57)【要約】【課題】遊技盤面上での釘の傾き等の変更を規制して、製造時に設定された遊技球の流下軌道や入賞確率が保たれるようにすることで、メーカ側が意図する適正な遊技性を遊技者に伝えることができる遊技機を提供する。【解決手段】遊技盤１６上の遊技物１００には、張出部１００Ａが形成されて、この張出部１００Ａには、釘穴１０１と張出部１００Ａから前面側に突出する釘支持部１０２が設けられている。張出部１００Ａ及び釘支持部１０２は、遊技物１００と樹脂成形等で一体に形成されている。遊技盤１６に打たれる釘１１０は、張出部１００Ａにおける釘穴１０１を通って遊技盤１６に打たれ、釘１１０の下部を支持するように釘支持部１０２が釘１１０の長手方向に沿って形成されている。【選択図】図３
2007229230.tif 000002
【特許請求の範囲】
【請求項１】
遊技物を有する遊技盤と、前記遊技盤に遊技球を発射する発射装置とを有し、前記遊技盤に入賞口を形成し、前記発射装置から発射されて前記遊技盤面上に設けられた釘に当たりながら上方から落下する遊技球を、前記入賞口に導くべく、前記発射装置をハンドル操作する遊技機において、
前記遊技盤面上の遊技物と一体で形成され、前記遊技盤面上に設けられた釘を支持する支持部を設けたことを特徴とする遊技機。
【発明の詳細な説明】
【技術分野】
【０００１】
本発明は、パチンコ機等の遊技機に関し、詳しくは、遊技盤面上の釘の曲げ規制を行うことができる遊技機に関する。
【背景技術】
【０００２】
一般に、遊技機、例えばパチンコ機は、球受け皿に滞留している遊技球が、発射ハンドルの操作に応じて遊技盤上に打ち出された後、遊技盤面上の障害釘や風車等に導かれつつ盤面を流下して、各種入賞口に入球し、或いは入球せずに遊技盤下部のアウト口に流入するように構成されるものである（例えば、特許文献１参照）。
【０００３】
このようなパチンコ機では、一般入賞口に入球した際にそれに対応した個数の遊技球が払い出され、また始動チャッカー（始動入賞口）に入賞した際にはこれに基づいて大当たり抽選が行われると共に所定数の遊技球が払い出され、当該抽選の結果に応じて、遊技盤の中央部分に設けられた液晶等からなる図柄表示装置の画面上で所定の演出表示が行われる。大当たりの発生時には、アタッカーと呼ばれる大入賞口が開放し、入球に対応して多量の遊技球が払い出される状態となる。
【０００４】
【特許文献１】特開２００３−２３６２１０号公報
【発明の開示】
【発明が解決しようとする課題】
【０００５】
ところで、上記のようなパチンコ機では、遊技盤面上に打たれた釘の位置及び傾きがパチンコ機の遊技性を高める上で重要な役割を担っている。
【０００６】
遊技盤面上に多数設けられる障害釘は、遊技者が直接的に入賞口を狙って遊技球を発射させることができないようにすることで、遊技者の興味の低下を抑制する役割を担っており、また、入賞口の入口に打たれる命釘は、パチンコ機の製造時にそのゲージ間隔と位置が規定されて、所定の入賞確率が得られるようにする役割を担っているといえる。
【０００７】
しかしながら、金属製の釘は容易に曲げられ傾きなどを変更することができるので、メーカからの出荷後に細工を加えることで、容易に遊技球の流下軌道のランダム性や入賞確率を変更させることが可能である。したがって、店舗側で釘の傾き等を変更して、遊技球の流下軌道や入賞確率を意図的に変更することができることになり、これによって、メーカ側が意図する遊技性が遊技者に伝わらないという問題があった。
【０００８】
本発明は、このような問題に対処するものであって、遊技盤面上での釘の傾き等の変更を規制して、製造時に設定された遊技球の流下軌道や入賞確率が保たれるようにすることで、メーカ側が意図する適正な遊技性を遊技者に伝えることができる遊技機を提供することを目的とする。
【課題を解決するための手段】
【０００９】
このような目的を達成するために、本発明は、遊技物を有する遊技盤と、前記遊技盤に遊技球を発射する発射装置とを有し、前記遊技盤に入賞口を形成し、前記発射装置から発射されて前記遊技盤面上に設けられた釘に当たりながら上方から落下する遊技球を、前記入賞口に導くべく、前記発射装置をハンドル操作する遊技機において、前記遊技盤面上の遊技物と一体で形成され、前記遊技盤面上に設けられた釘を支持する支持部を設けたことを特徴とする。
【発明の効果】
【００１０】
このような本発明によると、遊技盤面上に設けられた釘が遊技盤面上の遊技物と一体で形成された支持部で支持されているので、釘の傾き等の変更を規制して、製造時に設定された遊技球の流下軌道や入賞確率を保つことができる。これによって、メーカ側が意図する適正な遊技性を遊技者に伝えることができる遊技機を提供することができる。
【発明を実施するための最良の形態】
【００１１】
以下、本発明の実施形態の遊技機としてのパチンコ機を図に基づいて説明する。
【００１２】
図１は、本発明の実施形態の遊技機としてのパチンコ機の正面図である。図２は、図１の背面図である。
【００１３】
図１に示すように、遊技機としてのパチンコ機１１は、枠状の筐体１２、遊技盤保持枠１３、及び前面パネル１４等で構成されている。遊技盤保持枠１３は、遊技盤１６を有して、筐体１２に回転自在に設けてある。前面パネル１４は、遊技盤保持枠１３を開閉できるように、筐体１２に回転自在に設けてある。前面パネル１４は、遊技盤１６を覆うガラスを有して遊技盤１６を開閉するガラス枠１８と、遊技球としてのパチンコ球を発射する発射装置３１及びこの発射装置３１を操作する発射ハンドル４１を設けてある皿ユニット１９とを有している。
【００１４】
遊技盤１６の前面には、液晶からなる特別図柄表示画面２２を有するエスカッション２０と、複数の入賞口１５と、特別入賞口１７と、どの入賞口にも入らなかったパチンコ球が遊技盤１６から排出されるアウト口２１と、不図示の障害釘等を設けてある。特別図柄表示画面２２は、遊技盤１６のほぼ中央に位置してエスカッション２０の開口２０ａから露出するように設けてある。
【００１５】
図２に示すように、パチンコ機１１の背面側には、島に設置してある貯留装置から一度に多数のパチンコ球が送り込まれても受け止めることのできる賞球タンク２３と、賞球タンク２３から流出する賞球を案内する横案内路２４及び不図示の縦案内路と、表側に特別図柄表示画面２２を備えた液晶ユニット２５と、サブ制御基板２６と、パチンコ機全体を制御する主制御基板２７と、パチンコ機全体の電源となる電源ユニット２８と、賞球の払い出し制御を行う払い出し制御基板２９と、発射装置３１を発射制御する発射制御基板３０等を備えてある。
【００１６】
主制御基板２７は、パチンコ機全体を制御するため、パチンコ機１の動作全体を管理するシステムプログラム及び遊技用の実行プログラムが予め記憶された半導体メモリ等からなる記憶部と、これらのプログラムを実行するマイクロプロセッサ（ＭＰＵ）とを備えている。
【００１７】
以上の構成において、遊技者が皿ユニット１９にパチンコ球を供給して、発射ハンドル４１の第１指掛け突起４７の左側に右手の親指を掛け、第２、第３指掛け突起４７，４８の間に人差し指を掛け、第２、第３指掛け突起４８，４９の間に中指を掛け、第３指掛け突起４９の右側に薬指、小指を掛けて、発射ハンドル４１を回転操作すると、発射装置３１が発射制御基板３０の制御によってパチンコ球を遊技盤１６に発射する。発射されたパチンコ球は、遊技盤１６を転動落下して、いずれかの入賞口１５，１７に入球すると、パチンコ機１１の背面に貯留してあるパチンコ球が、入賞口１５，１７に応じた数だけ皿ユニット１９に賞球として供給される。パチンコ球が、どこの入賞口１５，１７にも入球しない場合、アウト口２１からアウト球として排出される。
【００１８】
図３は、遊技盤１６上の遊技物１００の一例（始動チェッカ等）を示した平面図である。この遊技物１００には、遊技盤１６面上に沿った張出部１００Ａが形成されている。そして、この張出部１００Ａには、同図（ｂ）（ｃ）に示すように（図３（ｂ）は図３（ａ）におけるＡ部拡大図であり、図３（ｃ）は図３（ｂ）におけるｘ−ｘ断面図である）、釘穴１０１と張出部１００Ａから前面側に突出する釘支持部１０２が設けられている。張出部１００Ａ及び釘支持部１０２は、遊技物１００と樹脂成形等で一体に形成されているものである。
【００１９】
そして、遊技盤１６に打たれる釘１１０は、張出部１００Ａにおける釘穴１０１を通って遊技盤１６に打たれており、この釘１１０の下部を支持するように釘支持部１０２が釘１１０の長手方向に沿って形成されている。また、釘支持部１０２には下方への曲げに対する補強部１０２ａが一体に形成されている。
【００２０】
このような本発明の実施形態によると、メーカからの出荷後に、釘１１０を曲げる調整をしようとしても、釘１１０が遊技盤１６面上の遊技物１００と一体に形成された釘支持部１０２で支持されているので、釘１１０を簡易に曲げることができない。また、釘支持部材１０２は釘１１０を下方から支持するものであるから、上方から流下する遊技球に対して釘支持部１０２が影響することはない。
【００２１】
これによると、釘１１０の傾き等の変更を規制することで、製造時に設定された遊技球の流下軌道や入賞確率を保つことができ、メーカ側が意図する適正な遊技性を遊技者に伝えることができる遊技機を提供することができる。
【図面の簡単な説明】
【００２２】
【図１】本発明の実施形態に係る遊技機としてのパチンコ機の正面図である。
【図２】図１の背面図である。
【図３】本発明の実施形態に係る遊技機の遊技物を説明する説明図である。
【符号の説明】
【００２３】
１１  パチンコ機（遊技機）
１５，１７  入賞口
１６  遊技盤
３０ 発射制御基板
３１  発射装置
４１  発射ハンドル
１００  遊技物
１００Ａ  張出部
１０１  釘穴
１０２  釘支持部
１０２ａ  補強部
【図１】
2007229230.tif 000003
【図２】
2007229230.tif 000004
【図３】
2007229230.tif 000005